(57)【要約】【課題】つる植物の伸長を抑制する登攀材を提供する。【解決手段】つる植物の登攀材３１ｃは、つる植物Ｐｖを登攀自在に略鉛直方向に配置されている。登攀材３１ｃは、ＬＥＤ電球３ｒを上部に備えている。ＬＥＤ電球３ｒは、つる植物Ｐｖに向かって青色光を照射している。ＬＥＤ電球３ｒは、４００ｎｍ〜５００ｎｍの青色波長領域の光をつる植物Ｐｖに照射できる。これにより、登攀材３１ｃに登攀するつる植物Ｐｖの伸長を抑制できる。そして、剪定作業の頻度を低減できる。鉛直方向に開口すると共に、ＬＥＤ電球３ｒを遮光可能にＬＥＤ電球３ｒの周囲を囲っているカバー４を更に備えることが好ましく、ＬＥＤ電球３ｒの青色光が人体の目に直接入射することを防止できる。【選択図】図１
2019103444.tif 000002
【特許請求の範囲】
【請求項１】
つる植物を登攀自在に略鉛直方向に配置された、つる植物の登攀材であって、
前記つる植物に向かって青色光を照射する照射手段を前記登攀材の上部に備えている、つる植物の登攀材。
【請求項２】
前記照射手段は、４００ｎｍ〜５００ｎｍの青色波長領域の光を前記つる植物に照射できる、請求項１記載のつる植物の登攀材。
【請求項３】
略鉛直方向に開口すると共に、前記照射手段を遮光可能に前記照射手段の周囲を囲っているカバーを更に備える、請求項１又は２記載のつる植物の登攀材。
【請求項４】
前記カバーは、光を反射する反射手段を内壁に有している請求項３記載のつる植物の登攀材。
【請求項５】
プランターに植栽したつる植物を登攀させた緑化柵を自立した緑化装置であって、
上面を開口した収容室を有し、この収容室に一つ以上の前記プランターを収容自在な直方体状のプランター収容箱と、
前記プランター収容箱を搭載自在に複数の金属部材を長方形状に枠組みした台座を有し、前記プランター収容箱の両端部を貫通自在な一対の管状部材を略平行に前記台座の両端部から立設した架台と、を備え、
前記緑化柵は、
下部側を前記管状部材に挿入自在に対向配置した一対の支柱部材と、
略水平方向に配置され、一対の前記支柱部材の上部側を接合した一つ以上のバー部材と、
つる植物を登攀自在に略鉛直方向に配置され、前記バー部材に連結した複数の棒状の第１の登攀材と、
前記第１の登攀材の上部に着脱自在に固定した電球ソケットと、
前記電球ソケットに接続でき、前記つる植物に向かって青色光を照射するＬＥＤ電球と、を有している、緑化装置。
【請求項６】
プランターに植栽したつる植物を登攀させた緑化柵を自立した緑化装置であって、
上面を開口した収容室を有し、この収容室に一つ以上の前記プランターを収容自在な直方体状のプランター収容箱と、
前記プランター収容箱を搭載自在に複数の金属部材を長方形状に枠組みした台座を有し、前記プランター収容箱の両端部を貫通自在な一対の管状部材を略平行に前記台座の両端部から立設した架台と、を備え、
前記緑化柵は、
下部側を前記管状部材に挿入自在に対向配置した一対の支柱部材と、
略水平方向に配置され、一対の前記支柱部材の上部側を接合した一つ以上のバー部材と、
つる植物を登攀自在に略鉛直方向に配置され、前記バー部材に連結した複数の管状の透明体からなる第２の登攀材と、
前記第２の登攀材の頂き部に埋設し、前記つる植物に向かって青色光を照射する発光ダイオードと、を有している、緑化装置。
【発明の詳細な説明】
【技術分野】
【０００１】
本発明は、つる植物の登攀材及びこれを備える緑化装置に関する。特に、プランターなどに植栽したつる植物を登攀させた登攀材及びこれを備える緑化装置であって、人工光源を用いて、つる植物の伸長を抑制できる、つる植物の登攀材及びこれを備える緑化装置の構造に関する。
【背景技術】
【０００２】
近年では、建物の外壁に植物を植える壁面緑化がヒートアイランド現象の緩和及び省エネルギー化に役立つとして、注目されている。壁面緑化には、登攀式、下垂式、補助材式、又は、ユニット式などの様々な工法が提案又は実施されている。
【０００３】
登攀式壁面緑化工法は、壁面などに付着自在な付着根を有するつる植物を壁面に自立登攀させることで、建物の壁面を緑化できる。登攀式壁面緑化工法は、低コストで緑化できるメリットを有しているが、付着根を有する付着性植物に限定されるという制約がある。
【０００４】
下垂式壁面緑化工法は、屋上又はベランダに設置したプランターから植物を壁面に沿って垂らすことで、建物の壁面を緑化できる。補助材式壁面緑化工法は、ワイヤーなどの補助材を用いて、つる植物を登攀又は下垂させることで、建物の壁面を緑化できる。ユニット式壁面緑化工法は、つる植物を誘引・巻付け自在なユニットを用いて、建物の壁面を緑化できる。
【０００５】
一方、プランターに植栽したつる植物を登攀させた緑化柵を形成した緑化装置であって、緑化柵を建物の内部の日除け又は仕切り（パーテーション）として利用することで、直射日光から建物の内部を遮蔽すると共に、建物の内部の景観を向上できる移動式の緑化装置が開示されている（例えば、特許文献１参照）。
【０００６】
一般に、植物は、光をエネルギー源として、光合成と光形態形成の光反応により、生長することが知られている。近年では、天候、気候、害虫などの自然環境に影響されないように、人工光源を用いて、植物を育成する植物育成装置が開発されている。そして、人工光源を用いた植物育成装置の実用化が進展している。
【０００７】
例えば、観賞用の顕花植物又は葉物野菜などに対して、人工光源による光照射の位置と光強度を制御して、植物を所望の形状に造形可能な植物育成装置が開示されている（例えば、特許文献２参照）。
【先行技術文献】
【特許文献】
【０００８】
【特許文献１】特開２０１５−１１２１００号公報
【特許文献２】特開２０１３−５７４１号公報
【発明の概要】
【発明が解決しようとする課題】
【０００９】
図１１は、従来技術による植物育成装置の構成を示す図であり、図１１（Ａ）は、植物育成装置の縦断面図、図１１（Ｂ）は、図１１（Ａ）のＡ矢視図である。なお、本願の図１１は、特許文献２の図１に相当している。
【００１０】
図１１を参照すると、従来技術による植物育成装置９は、箱状の本体９１と培養容器９２を備えている。本体９１は、内部に空洞を有している。培養容器９２は、培養土Ｃｐを内部に収容している。培養容器９２の培養土Ｃｐには、顕花植物Ｐｆを植栽している。
【００１１】
図１１を参照すると、本体９１は、底面側を上にして、培養容器９２に載置している。本体９１は、外部からの光が顕花植物Ｐｆに照射しないように、顕花植物Ｐｆの回りを覆っている。
【００１２】
図１１（Ａ）を参照すると、本体９１は、一組の光源Ａ１・Ａ２を内壁の上面に配置している。図１１（Ｂ）を参照すると、これらの光源Ａ１・Ａ２は、実体としてプリント基板９３に実装されたＬＥＤである。図１１（Ｂ）を参照すると、プリント基板９３は、赤色ＬＥＤ９３ｒと青色ＬＥＤ９３ｂを縦横に配列している。赤色ＬＥＤ９３ｒと青色ＬＥＤ９３ｂは、交互に配列している。
【００１３】
図１１（Ａ）を参照すると、本体９１は、一組の光源Ａ３・Ａ４を内壁の一方の側面に配置している。同様に、本体９１は、一組の光源Ａ５・Ａ６を内壁の他方の側面に配置している。又、培養容器９２は、一組の光源Ａ７・Ａ８を培養土Ｃｐ上に載置している。なお、光源Ａ３〜Ａ８は、赤色ＬＥＤ９３ｒと青色ＬＥＤ９３ｂを交互に配列したプリント基板９３で構成している（図１１（Ｂ）参照）。
【００１４】
図１１を参照すると、光源Ａ１〜Ａ８は、顕花植物Ｐｆに向かって、赤色光、又は、青色光、及び、赤色光と青色光を混在して照射できる。光源Ａ１〜Ａ８は、リード線Ｗｒを介して、制御装置９４と電気的に接続している。制御装置９４は、ＣＰＵ、入出力装置、メモリ、制御回路、ＬＥＤ駆動回路などを備えている。
【００１５】
図１１を参照すると、制御装置９４は、メモリに記憶させた点灯制御のパターンのプログラムにしたがって、光源Ａ１〜Ａ８に電力を供給すると共に、それぞれの光源の赤色ＬＥＤ９３ｒと青色ＬＥＤ９３ｂの点灯と消灯の制御、及び、照度の強さを制御できる。
【００１６】
図１１を参照すると、特許文献２による植物育成装置９は、青色光の波長領域に反応する植物の光屈性の特性に基づき、制御装置９４のメモリに記憶させた点灯制御のパターンのプログラムにしたがって、顕花植物Ｐｆの特定部位である茎の頂芽を伸長させる方向の光源Ａ１〜Ａ８から青色ＬＥＤ９３ｂの光を照射して、茎を誘導させ、茎の形状を所望の形状に形成できる、としている。
【００１７】
ところで、建物の内部の設置される緑化装置は、つる植物を複数の登攀材に登攀させることで、いわゆる、緑化カーテンを形成している。しかし、つる植物が生長し過ぎると、その容姿が美しく無くなるので、つる植物が生長し過ぎる前に、つる植物を剪定する必要がある。特に、脚立を用いた高所での剪定作業は、体力を要し、脚立から落下しないように、安全性に配慮する必要がある。
【００１８】
人工光源を用いて、登攀材に登攀するつる植物の伸長を抑制できれば、剪定作業の頻度を低減できる。そして、以上のことが本発明の課題といってよい。
【００１９】
本発明は、このような課題に鑑みてなされたものであり、人工光源を用いて、登攀材に登攀するつる植物の伸長を抑制することで、剪定作業の頻度を低減できる、つる植物の登攀材及びこれを備える緑化装置を提供することを目的とする。
【課題を解決するための手段】
【００２０】
本発明者らは、青色の波長を有する人工光源を登攀材の上部に配置することで、登攀材に登攀するつる植物の伸長を抑制できると考え、これに基づいて、以下のような新たなつる植物の登攀材及びこれを備える緑化装置を発明するに至った。
【００２１】
（１）本発明によるつる植物の登攀材は、つる植物を登攀自在に略鉛直方向に配置されたつる植物の登攀材であって、前記つる植物に向かって青色光を照射する照射手段を前記登攀材の上部に備えている。
【００２２】
（２）前記照射手段は、４００ｎｍ〜５００ｎｍの青色波長領域の光を前記つる植物に照射できることが好ましい。
【００２３】
（３）本発明によるつる植物の登攀材は、略鉛直方向に開口すると共に、前記照射手段を遮光可能に前記照射手段の周囲を囲っているカバーを更に備えることが好ましい。
【００２４】
（４）前記カバーは、光を反射する反射手段を内壁に有していることが好ましい。
【００２５】
（５）本発明による緑化装置は、プランターに植栽したつる植物を登攀させた緑化柵を自立した緑化装置であって、上面を開口した収容室を有し、この収容室に一つ以上の前記プランターを収容自在な直方体状のプランター収容箱と、前記プランター収容箱を搭載自在に複数の金属部材を長方形状に枠組みした台座を有し、前記プランター収容箱の両端部を貫通自在な一対の管状部材を略平行に前記台座の両端部から立設した架台と、を備え、前記緑化柵は、下部側を前記管状部材に挿入自在に対向配置した一対の支柱部材と、略水平方向に配置され、一対の前記支柱部材の上部側を接合した一つ以上のバー部材と、つる植物を登攀自在に略鉛直方向に配置され、前記バー部材に連結した複数の棒状の第１の登攀材と、前記第１の登攀材の上部に着脱自在に固定した電球ソケットと、前記電球ソケットに接続でき、前記つる植物に向かって青色光を照射するＬＥＤ電球と、を有している。
【００２６】
（６）本発明による緑化装置は、プランターに植栽したつる植物を登攀させた緑化柵を自立した緑化装置であって、上面を開口した収容室を有し、この収容室に一つ以上の前記プランターを収容自在な直方体状のプランター収容箱と、前記プランター収容箱を搭載自在に複数の金属部材を長方形状に枠組みした台座を有し、前記プランター収容箱の両端部を貫通自在な一対の管状部材を略平行に前記台座の両端部から立設した架台と、を備え、前記緑化柵は、下部側を前記管状部材に挿入自在に対向配置した一対の支柱部材と、略水平方向に配置され、一対の前記支柱部材の上部側を接合した一つ以上のバー部材と、つる植物を登攀自在に略鉛直方向に配置され、前記バー部材に連結した複数の管状の透明体からなる第２の登攀材と、前記第２の登攀材の頂き部に埋設し、前記つる植物に向かって青色光を照射する発光ダイオードと、を有している。
【発明の効果】
【００２７】
本発明によるつる植物の登攀材は、青色の波長を有する照射手段を登攀材の上部に配置することで、登攀材に登攀するつる植物の伸長を抑制できる。そして、これにより剪定作業の頻度を低減できる。
【００２８】
本発明による緑化装置は、プランターに植栽したつる植物を登攀させた緑化柵を自立した緑化装置であって、緑化柵を構成する棒状の第１の登攀材の上部に青色光を照射するＬＥＤ電球を着脱自在に固定することで、つる植物の伸長を抑制できる。
【００２９】
本発明による緑化装置は、プランターに植栽したつる植物を登攀させた緑化柵を自立した緑化装置であって、緑化柵を構成する管状の透明体からなる第２の登攀材の頂き部に青色光を照射する発光ダイオードを埋設することで、つる植物の伸長を抑制できる。
【図面の簡単な説明】
【００３０】
【図１】本発明の第１実施形態によるつる植物の登攀材及び緑化装置の構成を示す斜視図であり、つる植物を登攀させた緑化柵をプランター収容箱に自立させた状態図である。
【図２】第１実施形態によるつる植物の登攀材及び緑化装置の構成を示す斜視図である。
【図３】第１実施形態によるつる植物の登攀材及び緑化装置を示す図であり、図３（Ａ）は、緑化装置の平面図、図３（Ｂ）は、緑化装置の正面図である。
【図４】第１実施形態によるつる植物の登攀材及び緑化装置の構成を示す図であり、図４（Ａ）は、図３（Ｂ）のＢ−Ｂ矢視断面図、図４（Ｂ）は、緑化装置の左側面図である。
【図５】第１実施形態によるつる植物の登攀材及び緑化装置を示す縦断面図であり、プランター収容箱の長手方向に沿って、緑化装置の中央部を断面で示した状態図である。
【図６】第１実施形態によるつる植物の登攀材及び緑化装置を示す平面図であり、図５のＦ−Ｆ矢視断面図である。
【図７】第１実施形態によるつる植物の登攀材及び緑化装置を示す縦断面図であり、図７（Ａ）は、図５のＥ−Ｅ矢視断面図、図７（Ｂ）は、図５のＤ−Ｄ矢視断面図である。
【図８】第１実施形態による緑化装置の構成を示す斜視分解組立図である。
【図９】第１実施形態による緑化装置に備わる緑化柵の構成を示す斜視図である。
【図１０】本発明の第２実施形態によるつる植物の登攀材及び緑化装置の構成を示す斜視図である。
【図１１】従来技術による植物育成装置の構成を示す図であり、図１１（Ａ）は、植物育成装置の縦断面図、図１１（Ｂ）は、図１１（Ａ）のＡ矢視図である。
【発明を実施するための形態】
【００３１】
以下、図面を参照して本発明を実施するための形態を説明する。
［第１実施形態］
（つる植物の登攀材及び緑化装置の構成）
最初に、本発明の第１実施形態によるつる植物の登攀材及び緑化装置の構成を説明する。
【００３２】
図１は、本発明の第１実施形態によるつる植物の登攀材及び緑化装置の構成を示す斜視図であり、つる植物を登攀させた緑化柵をプランター収容箱に自立させた状態図である。図２は、第１実施形態によるつる植物の登攀材及び緑化装置の構成を示す斜視図である。
【００３３】
図３は、第１実施形態によるつる植物の登攀材及び緑化装置を示す図であり、図３（Ａ）は、緑化装置の平面図、図３（Ｂ）は、緑化装置の正面図である。
【００３４】
図４は、第１実施形態によるつる植物の登攀材及び緑化装置の構成を示す図であり、図４（Ａ）は、図３（Ｂ）のＢ−Ｂ矢視断面図、図４（Ｂ）は、緑化装置の左側面図である。
【００３５】
図５は、第１実施形態によるつる植物の登攀材及び緑化装置を示す縦断面図であり、プランター収容箱の長手方向に沿って、緑化装置の中央部を断面で示した状態図である。図６は、第１実施形態によるつる植物の登攀材及び緑化装置を示す平面図であり、図５のＦ−Ｆ矢視断面図である。
【００３６】
図７は、第１実施形態によるつる植物の登攀材及び緑化装置を示す縦断面図であり、図７（Ａ）は、図５のＥ−Ｅ矢視断面図、図７（Ｂ）は、図５のＤ−Ｄ矢視断面図である。
【００３７】
図８は、第１実施形態による緑化装置の構成を示す斜視分解組立図である。図９は、第１実施形態による緑化装置に備わる緑化柵の構成を示す斜視図である。
【００３８】
（全体構成）
次に、本発明の第１実施形態によるつる植物の登攀材及び緑化装置の全体構成を説明する。図１から図９を参照すると、本発明の第１実施形態による緑化装置１０は、直方体状のプランター収容箱１、架台２、及び、緑化柵３を備えている。緑化装置１０は、複数の電球ソケット３ｓとＬＥＤ電球３ｒを更に備えている。
【００３９】
図１から図８を参照すると、プランター収容箱１は、上面を開口した収容室１１ｒを有している（図４（Ｂ）又は図参照）。収容室１１ｒには、二つのプランター１ｐ・１ｐを収容している（図５又は図６参照）。図１から図６に示した実施形態では、二つのプランター１ｐ・１ｐをプランター収容箱１の長手方向に連設している。
【００４０】
図１又は図６を参照すると、プランター１ｐには、つる植物Ｐｖを植栽している。実施形態では、土壌を収容した円筒状のポット１１ｐにつる植物Ｐｖを植栽し、複数のポット１１ｐをプランター１ｐに収容している（図３（Ａ）又は図８参照）。プランター１ｐ及びポット１１ｐは、市販品を使用することもできる。
【００４１】
図８を参照すると、架台２は、台座２１と一対の管状部材２１ｐ・２１ｐを有している。台座２１は、複数の金属部材を互いに接合して、長方形状に枠組みしている。台座２１には、プランター収容箱１を搭載できる。又、一対の管状部材２１ｐ・２１ｐは、台座２１の両端部から立設している。
【００４２】
図８を参照すると、一対の管状部材２１ｐ・２１ｐは、略平行に配置されている。又、一対の管状部材２１ｐ・２１ｐは、プランター収容箱１の両端部を貫通している（図１から図３又は図５参照）。
【００４３】
図１から図３又は図５を参照すると、緑化柵３は、一対の支柱部材３１ｐ・３１ｐ、一組のバー部材３１ｂ・３１ｂ、及び、複数の棒状の第１の登攀材（以下、登攀材と略称する）３１ｃを備えている。一対の支柱部材３１ｐ・３１ｐは、対向配置されている。支柱部材３１ｐは、その下端部側を管状部材２１ｐに挿入できる。
【００４４】
図１から図３又は図５を参照すると、一組のバー部材３１ｂ・３１ｂは、それらの両端部を一対の支柱部材３１ｐ・３１ｐの外周に溶接などで接合している。一方のバー部材３１ｂは、一対の支柱部材３１ｐ・３１ｐの上端部に接合している。他方のバー部材３１ｂは、一対の支柱部材３１ｐ・３１ｐの中間部に接合している。そして、一組のバー部材３１ｂ・３１ｂは、略水平方向に配置されている。
【００４５】
図１から図５を参照すると、登攀材３１ｃは、棒状の補助部材３１ａを介して、バー部材３１ｂに連結している。補助部材３１ａは、その中間部をバー部材３１ｂに溶接などで接合している。又、補助部材３１ａは、その両端部を一組の登攀材３１ｃ・３１ｃの外周に溶接などで接合している。両端部に配置された補助部材３１ａは、その一端部を支柱部材３１ｐの外周に溶接などで接合している。そして、複数の登攀材３１ｃは、略平行に略鉛直方向に配置されている。プランター１ｐの上方に複数の登攀材３１ｃを配置することで、つる植物Ｐｖを登攀材３１ｃに登攀できる（図１参照）。
【００４６】
図１から図９を参照すると、第１実施形態による緑化装置１０は、つる植物Ｐｖを植栽したプランター１ｐを収容した直方体状のプランター収容箱１と、プランター収容箱１を設置し、プランター収容箱１の両端部を貫通自在な一対の管状部材２１ｐ・２１ｐを両端部から立設した架台２と、一対の支柱部材３１ｐ・３１ｐを一対の管状部材２１ｐ・２１ｐに差し込んで自立させ、つる植物Ｐｖを登攀自在な複数の登攀材３１ｃを有する緑化柵３と、つる植物Ｐｖに向かって青色光を照射する複数のＬＥＤ電球３ｒと、を備え、登攀材３１ｃに登攀するつる植物Ｐｖの伸長を抑制できる。
【００４７】
（第１の登攀材の構成）
次に、第１実施形態による登攀材３１ｃの構成を説明する。図１から図５及び図７を参照すると、登攀材３１ｃは、電球ソケット３ｓと照射手段となるＬＥＤ電球３ｒを上部に備えている。
【００４８】
図２を参照すると、電球ソケット３ｓは、口金ソケット部３１ｓを一端部側に有し、クランプ部３２ｓを他端部側に有している。口金ソケット部３１ｓには、ＬＥＤ電球３ｒの口金部３１ｒを螺合できる。ＬＥＤ電球３ｒを電球ソケット３ｓに取り付けることで、ＬＥＤ電球３ｒと電球ソケット３ｓを電気的に接続できる。なお、電球ソケット３ｓから延出するリード線は、その図示を省略している。
【００４９】
図２を参照すると、クランプ部３２ｓは、穴部３２１とスリット３２２を有している。穴部３２１は、登攀材３１ｃと嵌合できる。スリット３２２は、穴部３２１に連通している。登攀材３１ｃの上部から保護キャップ３ｃを取り外した状態で、クランプ部３２ｓの穴部３２１を登攀材３１ｃの上部から挿入でき、クランプ部３２ｓをネジ部材で緊締することで、電球ソケット３ｓを登攀材３１ｃの上部に着脱自在に固定できる（図１から図５及び図７参照）。
【００５０】
図１から図５及び図７を参照すると、ＬＥＤ電球３ｒは、つる植物Ｐｖに向かって青色光を照射できる。ＬＥＤ電球３ｒは、４００ｎｍ〜５００ｎｍの青色波長領域の光をつる植物Ｐｖに照射することが好ましい。これらの作用は後述する。図１から図３を参照すると、ＬＥＤ電球３ｒは、奥側の登攀材３１ｃに配置しているが、ＬＥＤ電球３ｒは、手前側の登攀材３１ｃに配置してもよく、全ての登攀材３１ｃに配置してもよい。
【００５１】
図１から図５及び図７を参照すると、登攀材３１ｃは、箱状のカバー４を更に備えている。カバー４は、略鉛直方向に開口すると共に、複数のＬＥＤ電球３ｒを遮光可能に複数のＬＥＤ電球３ｒの周囲を囲っている。これにより、ＬＥＤ電球３ｒの青色光が人体の目に直接入射することを防止できる。
【００５２】
図１から図５及び図７を参照すると、カバー４は、光を反射する反射膜を内壁に有することが好ましい。ＬＥＤ電球３ｒから出射される青色光の散乱を抑制でき、青色光をつる植物Ｐｖに効果的に照射できる。
【００５３】
図１又は図３から図５を参照すると、一対の支柱部材３１ｐ・３１ｐは、ブロック状のクランプ部材３ｂを上部に固定している。これらのクランプ部材３ｂ・３ｂは、相反する向きに雌ネジ部３ｍｓを設けている。カバー４の側面からネジ部材を雌ネジ部３ｍｓに締結することで、一対の支柱部材３１ｐ・３１ｐを介して、カバー４を緑化装置１０に固定できる。
【００５４】
（プランター収容箱の構成）
次に、第１実施形態によるプランター収容箱１の構成を説明する。図１から図８を参照して、プランター収容箱１は、合成樹脂からなることが好ましく、合成樹脂を成形して、内部に一つ以上のプランター１ｐを収容自在な直方体状のプランター収容箱１を得ることができる。
【００５５】
図４（Ａ）を参照すると、プランター収容箱１は、上面から窪んだ段部１１ｄを有している。一方、プランター１ｐは、外側に張り出した鍔部１１ｆを上部に形成している（図８参照）。一対の鍔部１１ｆ・１１ｆを段部１１ｄに設置することで、プランター１ｐの底面が収容室１１ｒの底面から所定の距離を設けて、プランター１ｐをプランター収容箱１に配置できる。
【００５６】
図８を参照すると、プランター収容箱１は、段部１１ｄに連通した複数の逃げ部１１ｅを有している。対向する一対の逃げ部１１ｅ・１１ｅに指を挿入でき、一対の鍔部１１ｆ・１１ｆを把持することで、プランター収容箱１からプランター１ｐを取り出すことができる。
【００５７】
図５から図８を参照すると、プランター収容箱１は、二つの仕切り板１２・１３を備えている。一方の仕切り板１２は、一対のアリガタのレール１２ｒ・１２ｒを両側部に形成している（図６参照）。一方、プランター収容箱１は、一対のレール１２ｒ・１２ｒを案内する一対のアリ溝１２ｓ・１２ｓを内壁に形成している（図８参照）。
【００５８】
図５から図８を参照すると、他方の仕切り板１３は、一対のアリガタのレール１３ｒ・１３ｒを両側部に形成している（図６参照）。一方、プランター収容箱１は、一対のレール１３ｒ・１３ｒを案内する一対のアリ溝１３ｓ・１３ｓを内壁に形成している（図８参照）。
【００５９】
図６又は図９を参照して、二つの仕切り板１２・１３をプランター収容箱１の内部に設置することで、プランター１ｐの鍔部１１ｆを二つの仕切り板１２・１３の上面に設置できる。そして、プランター収容箱１に対して、プランター１ｐの長手方向の移動を規制できる（図５参照）。
【００６０】
図５から図８を参照すると、プランター収容箱１は、水中ポンプ１４ｐ、散水管１４１、及び、水位計１４２を更に備えている。水中ポンプ１４ｐは、プランター収容箱１の底部に設置している（図５又は図７（Ｂ）参照）。水中ポンプ１４ｐの上方は、蓋板１５で覆っている（図５又は図８参照）。
【００６１】
図５から図８を参照すると、散水管１４１は、プランター収容箱１の長手方向に沿って、複数のプランター１ｐの上方に配置されている（図５参照）。散水管１４１は、その一端部を水中ポンプ１４ｐに接続している。又、散水管１４１は、その他端部を閉塞している。更に、散水管１４１は、多数の散水孔を直線部の外周に開口している。
【００６２】
図５又は図７を参照すると、プランター収容箱１は、培養液Ｃｆを内部に貯留している。水中ポンプ１４ｐを駆動すると、培養液Ｃｆを吸引し、培養液Ｃｆを散水管１４１に送出できる。そして、培養液Ｃｆを複数のポット１１ｐに散水できる（図３（Ａ）又は図８参照）。又、余剰の培養液Ｃｆは、プランター収容箱１の底部に循環される。水中ポンプ１４ｐを駆動する時間は、例えば、１日１回５分程度とし、タイマーなどを設置して管理することもできる。
【００６３】
図５又は図７を参照すると、水位計１４２は、一方の仕切り板１２に着脱自在に固定されている。水位計１４２は、その末端部をプランター収容箱１の底面に近接している。水位計１４２は、球状のフロート１４ｆを内部に配置している。培養液Ｃｆの水位に対応して、フロート１４ｆが上下方向に変位することで、培養液Ｃｆの水位を検出できる。
【００６４】
（カバー部材の構成）
図１又は図２及び図４（Ａ）又は図８を参照すると、プランター収容箱１は、一対の逆Ｙ字状のカバー部材１６・１６を更に備えている。カバー部材１６は、プランター収容箱１の側面Ｓｆに開口した逆Ｙ字状の溝部１６ｄに嵌合できる（図８参照）。
【００６５】
図４（Ａ）を参照すると、管状部材２１ｐと支柱部材３１ｐは、高さ調整ねじ１６ｓで連結している。後述するように、高さ調整ねじ１６ｓを操作することで、管状部材２１ｐに対して、支柱部材３１ｐの高さを段階的に変化できる。
【００６６】
図８を参照すると、溝部１６ｄは、垂直溝部Ｓｄと一対の水平溝部Ｈｄ・Ｈｄを有している。垂直溝部Ｓｄに対して、一対の水平溝部Ｈｄ・Ｈｄは、略直交している。プランター収容箱１の側面Ｓｆからカバー部材１６を取り外すことで、高さ調整ねじ１６ｓを操作できる。管状部材２１ｐに対して、支柱部材３１ｐの高さを変化した後に、カバー部材１６をプランター収容箱１の側面Ｓｆに取り付けることで、管状部材２１ｐを外面から覆うことができる（図１参照）。
【００６７】
図１又は図２を参照すると、プランター収容箱１は、カバー部材１６をプランター収容箱１の側面Ｓｆに取り付けた状態では、管状部材２１ｐが露出しないので、外観が優れている。又、カバー部材１６をプランター収容箱１の側面Ｓｆに取り付けた状態では、カバー部材１６は、プランター収容箱１の側面Ｓｆと略面一の状態で溝部１６ｄに嵌合しているので、不要な突起物がなく、安全である。
【００６８】
（架台の構成）
次に、第１実施形態による架台２の構成を説明する。図８又は図１０を参照すると、台座２１は、長尺の山形鋼からなる一対のチャンネル架２１１・２１１と短尺の山形鋼からなる一対の連結架２１２・２１２を有している。一対のチャンネル架２１１・２１１の両端部には、一対の連結架２１２・２１２の両端部を溶接などで接合している。
【００６９】
図８を参照すると、台座２１は、短尺の山形鋼からなる一組の中間架２１３・２１３を更に有している。一組の中間架２１３・２１３は、それらの両端部を一対のチャンネル架２１１・２１１の中間部に溶接などで接合している。一組の中間架２１３・２１３は、台座２１を補強している。
【００７０】
又、図８を参照すると、架台２は、台座２１の四隅に四つのキャスタ２ｃを固定している。これにより、架台２に搭載された緑化柵３付きのプランター収容箱１を容易に移動できる。
【００７１】
図８を参照すると、管状部材２１ｐは、鋼製の角パイプからなることが好ましく、一方の端縁を連結架２１２の中間部に溶接などで接合している。管状部材２１ｐの他方の端縁は、支柱部材３１ｐを導入可能に開口している。又、管状部材２１ｐは、プランター収容箱１の底部側から溝部１６ｄに挿通できる。
【００７２】
又、図８を参照すると、管状部材２１ｐは、山形鋼からなる一組の斜材２１４・２１４で基端部側が補強されている。斜材２１４は、その一端部をチャンネル架２１１の端部に溶接などで接合している。又、斜材２１４は、その他端部を管状部材２１ｐの２１１の基端部側に溶接などで接合している。
【００７３】
図８を参照すると、管状部材２１ｐは、複数の穴２１ｈを基端部側に開口している。これらの穴２１ｈには、高さ調整ねじ１６ｓを挿通できる（図４（Ｂ）参照）。高さ調整ねじ１６ｓの取り付け位置を変えることで、管状部材２１ｐに対して、支柱部材３１ｐの高さを段階的に変化できる。
【００７４】
（緑化柵の構成）
次に、第１実施形態による緑化柵３の構成を説明する。図１から図５及び図９を参照すると、支柱部材３１ｐは、丸パイプからなることが好ましく、複数の穴３１ｈを基端部側に開口している。これらの穴２１ｈには、高さ調整ねじ１６ｓを挿通できる（図４（Ｂ）参照）。高さ調整ねじ１６ｓの取り付け位置を変えることで、管状部材２１ｐに対して、支柱部材３１ｐの高さを段階的に変化できる。
【００７５】
図１から図５を参照すると、登攀材３１ｃは、丸棒からなることが好ましく、プランター１ｐに植栽したつる植物Ｐｖを登攀させることができる（図１参照）。登攀材３１ｃは、その上端部に保護キャップ３ｃを取り付けることが好ましく、登攀材３１ｃの上端部に人体などの一部が接触したときに、人体を損傷から保護できる。
【００７６】
図１又は図２及び図１１を参照すると、複数の登攀材３１ｃは、平面視において、千鳥状（スタッガード）に配列している。これにより、つる植物Ｐｖを登攀させた緑化柵３の美観を向上できる（図１参照）。
【００７７】
（つる植物の登攀材及び緑化装置の作用）
次に、第１実施形態による登攀材３１ｃ及び緑化装置１０の作用及び効果を説明する。植物の生長初期、いわゆる実生の植物に青色光を照射することで、茎の伸長を抑制できることが知られている。生長した後のつる植物に青色光を照射することで、茎の伸長を抑制する効果が期待されている。ＬＥＤによる人工光源は、製造段階で波長領域を規定できるので、植物の形態を操作するのに便利である。
【００７８】
以上のような植物と人工光源の関係を利用して、第１実施形態による登攀材３１ｃは、青色の波長を有するＬＥＤ電球３ｒを登攀材３１ｃの上部に配置することで、登攀材３１ｃに登攀するつる植物Ｐｖの伸長を抑制できる。そして、これにより剪定作業の頻度を低減できる。又、高い場所での剪定作業を削減できるという効果も期待できる。
【００７９】
第１実施形態による緑化装置１０は、つる植物Ｐｖを植栽したプランター１ｐを収容した直方体状のプランター収容箱１と、プランター収容箱１を設置し、プランター収容箱１の両端部を貫通自在な一対の管状部材２１ｐ・２１ｐを両端部から立設した架台２と、一対の支柱部材３１ｐ・３１ｐを一対の管状部材２１ｐ・２１ｐに差し込んで自立させ、つる植物Ｐｖを登攀自在な複数の登攀材３１ｃを有する緑化柵３と、つる植物Ｐｖに向かって青色光を照射する複数のＬＥＤ電球３ｒと、を備え、登攀材３１ｃに登攀するつる植物Ｐｖの伸長を抑制できる。
【００８０】
図８を参照すると、架台２は、台座２１の四隅に四つのキャスタ２ｃを固定しているので、架台２に搭載された緑化柵３付きのプランター収容箱１を容易に移動できる。
【００８１】
図１又は図２を参照すると、プランター収容箱１は、カバー部材１６をプランター収容箱１の側面Ｓｆに取り付けた状態では、管状部材２１ｐが露出しないので、外観が優れている。又、カバー部材１６をプランター収容箱１の側面Ｓｆに取り付けた状態では、カバー部材１６は、プランター収容箱１の側面Ｓｆと略面一の状態で溝部１６ｄに嵌合しているので、不要な突起物がなく、安全である。
【００８２】
図１から図５及び図１１を参照すると、登攀材３１ｃは、その上端部に保護キャップ３ｃを取り付けることが好ましく、登攀材３１ｃの上端部に人体などの一部が接触したときに、人体を損傷から保護できる。
【００８３】
図１を参照して、緑化装置１０を建物の内部に設置することで、緑化柵３を建物の内部の日除け又は仕切りとして利用でき、直射日光から建物の内部を遮蔽すると共に、建物の内部の景観を向上できる。又、つる植物Ｐｖを登攀させた緑化柵３を室内に設置することで、二酸化炭素をつる植物Ｐｖが吸収でき、酸素を供給できる。
【００８４】
［第２実施形態］
（つる植物の登攀材及び緑化装置の構成）
次に、本発明の第２実施形態によるつる植物の登攀材及び緑化装置の構成を説明する。図１０は、本発明の第２実施形態によるつる植物の登攀材及び緑化装置の構成を示す斜視図である。
【００８５】
なお、第１実施形態で用いた符号と同じ符号を付した構成品は、その作用を同じにするので、以下説明を省略することがある。
【００８６】
（全体構成）
次に、本発明の第２実施形態によるつる植物の登攀材及び緑化装置の全体構成を説明する。図１０を参照すると、本発明の第２実施形態による緑化装置２０は、直方体状のプランター収容箱１、架台２、及び、緑化柵５を備えている。緑化装置２０は、複数の発光ダイオード５ｄを更に備えている。
【００８７】
図１０を参照すると、緑化柵５は、一対の支柱部材５１ｐ・５１ｐ、一組のバー部材５１ｂ・５１ｂ、及び、複数の管状の透明体からなる第２の登攀材（以下、登攀材と略称する）５１ｃを備えている。一対の支柱部材５１ｐ・５１ｐは、対向配置されている。支柱部材５１ｐは、その下端部側を管状部材２１ｐに挿入できる。
【００８８】
図１０を参照すると、一組のバー部材５１ｂ・５１ｂは、それらの両端部を一対の支柱部材５１ｐ・５１ｐの外周に溶着などで接合している。一方のバー部材５１ｂは、一対の支柱部材５１ｐ・５１ｐの上端部に接合している。他方のバー部材３１ｂは、一対の支柱部材５１ｐ・５１ｐの中間部に接合している。そして、一組のバー部材５１ｂ・５１ｂは、略水平方向に配置されている。
【００８９】
図１０を参照すると、登攀材５１ｃは、棒状の補助部材５１ａを介して、バー部材５１ｂに連結している。補助部材５１ａは、その中間部をバー部材５１ｂに溶着などで接合している。又、補助部材５１ａは、その両端部を一組の登攀材５１ｃ・５１ｃの外周に溶着などで接合している。両端部に配置された補助部材５１ａは、その一端部を支柱部材５１ｐの外周に溶着などで接合している。そして、複数の登攀材５１ｃは、略平行に略鉛直方向に配置されている。プランター１ｐの上方に複数の登攀材５１ｃを配置することで、つる植物Ｐｖを登攀材５１ｃに登攀できる（図１参照）。
【００９０】
図１０を参照すると、第２実施形態による緑化装置２０は、つる植物Ｐｖを植栽したプランター１ｐを収容した直方体状のプランター収容箱１と、プランター収容箱１を設置し、プランター収容箱１の両端部を貫通自在な一対の管状部材２１ｐ・２１ｐを両端部から立設した架台２と、一対の支柱部材５１ｐ・５１ｐを一対の管状部材２１ｐ・２１ｐに差し込んで自立させ、つる植物Ｐｖを登攀自在な複数の登攀材５１ｃを有する緑化柵５と、つる植物Ｐｖに向かって青色光を照射する複数の発光ダイオード５ｄと、を備え、登攀材５１ｃに登攀するつる植物Ｐｖの伸長を抑制できる。
【００９１】
（第２の登攀材の構成）
次に、第２実施形態による登攀材５１ｃの構成を説明する。図１０を参照すると、登攀材５１ｃは、絶縁性を有するマウント部材５ｍと照射手段となる発光ダイオード５ｄを上部に備えている。
【００９２】
図１０を参照すると、マウント部材５ｍは、発光ダイオード５ｄの接続端子を絶縁状態で覆っている。マウント部材５ｍは、その一方の端部から発光ダイオード５ｄの発光部を突出している。又、マウント部材５ｍは、その他方の端部からリード線５ｒを延出している。リード線５ｒは、マウント部材５ｍの内部で、発光ダイオード５ｄの接続端子に電気的に接続している。リード線５ｒを通して、発光ダイオード５ｄに電源を供給することで、発光ダイオード５ｄを点灯できる。
【００９３】
図１０を参照すると、発光ダイオード５ｄは、登攀材５１ｃの頂き部から挿入されている。マウント部材５ｍを登攀材５１ｃの頂き部に固定することで、発光ダイオード５ｄを登攀材５１ｃの頂き部に固定できる。このように、発光ダイオード５ｄは、透明体からなる登攀材５１ｃの頂き部に埋設されている。そして、発光ダイオード５ｄを点灯することで、つる植物Ｐｖに向かって青色光を照射できる。
【００９４】
図１０を参照すると、発光ダイオード５ｄは、つる植物Ｐｖに向かって青色光を照射できる。発光ダイオード５ｄは、４００ｎｍ〜５００ｎｍの青色波長領域の光をつる植物Ｐｖに照射することが好ましい。図１０を参照すると、発光ダイオード５ｄは、全ての登攀材５１ｃの頂き部に配置しているが、発光ダイオード５ｄは、奥側の登攀材５１ｃに配置してもよく、手前側の登攀材５１ｃに配置してもよい。
【００９５】
図１０を参照すると、登攀材５１ｃは、箱状のカバー４を更に備えている。カバー４は、略鉛直方向に開口すると共に、複数の発光ダイオード５ｄを遮光可能に複数の発光ダイオード５ｄの周囲を囲っている。これにより、発光ダイオード５ｄの青色光が人体の目に直接入射することを防止できる。
【００９６】
図１０を参照すると、カバー４は、光を反射する反射膜を内壁に有することが好ましい。発光ダイオード５ｄから出射される青色光の散乱を抑制でき、青色光をつる植物Ｐｖに効果的に照射できる。
【００９７】
図１０を参照すると、一対の支柱部材５１ｐ・５１ｐは、ブロック状のクランプ部材３ｂを上部に固定している。これらのクランプ部材３ｂ・３ｂは、相反する向きに雌ネジ部３ｍｓを設けている。カバー４の側面からネジ部材を雌ネジ部３ｍｓに締結することで、一対の支柱部材５１ｐ・５１ｐを介して、カバー４を緑化装置２０に固定できる。
【００９８】
（緑化柵の構成）
次に、第２実施形態による緑化柵５の構成を説明する。図１０を参照すると、支柱部材５１ｐは、透明なアクリル樹脂などからなる丸パイプで構成することが好ましい。補助部材５１ａ及びバー部材５１ｂは、透明なアクリル樹脂などからなる丸棒で構成することが好ましく、補助部材５１ａ及びバー部材５１ｂを支柱部材５１ｐに溶着などで接合できる。
【００９９】
図１０を参照すると、登攀材５１ｃは、透明なアクリル樹脂などからなる丸パイプで構成することが好ましく、バー部材５１ｂを登攀材５１ｃに溶着などで接合できる。又、登攀材５１ｃは、プランター１ｐに植栽したつる植物Ｐｖを登攀させることができる（図１参照）。登攀材５１ｃを透明体で構成することにより、登攀材５１ｃの頂き部に埋設した発光ダイオード５ｄからつる植物Ｐｖに向かって青色光を照射できる。
【０１００】
図１０を参照すると、複数の登攀材５１ｃは、平面視において、千鳥状（スタッガード）に配列している。これにより、つる植物Ｐｖを登攀させた緑化柵５の美観を向上できる（図１参照）。
【０１０１】
（つる植物の登攀材及び緑化装置の作用）
次に、第２実施形態による登攀材５１ｃ及び緑化装置２０の作用及び効果を説明する。植物の生長初期、いわゆる実生の植物に青色光を照射することで、茎の伸長を抑制できることが知られている。生長した後のつる植物に青色光を照射することで、茎の伸長を抑制する効果が期待されている。ＬＥＤによる人工光源は、製造段階で波長領域を規定できるので、植物の形態を操作するのに便利である。
【０１０２】
以上のような植物と人工光源の関係を利用して、第２実施形態による登攀材５１ｃは、青色の波長を有する発光ダイオード５ｄを登攀材５１ｃの頂き部に配置することで、登攀材５１ｃに登攀するつる植物Ｐｖの伸長を抑制できる。そして、これにより剪定作業の頻度を低減できる。又、高い場所での剪定作業を削減できるという効果も期待できる。
【０１０３】
第２実施形態による緑化装置２０は、つる植物Ｐｖを植栽したプランター１ｐを収容した直方体状のプランター収容箱１と、プランター収容箱１を設置し、プランター収容箱１の両端部を貫通自在な一対の管状部材２１ｐ・２１ｐを両端部から立設した架台２と、一対の支柱部材５１ｐ・５１ｐを一対の管状部材２１ｐ・２１ｐに差し込んで自立させ、つる植物Ｐｖを登攀自在な複数の登攀材５１ｃを有する緑化柵５と、登攀材５１ｃの頂き部に埋設し、つる植物Ｐｖに向かって青色光を照射する複数の発光ダイオード５ｄと、を備え、登攀材５１ｃに登攀するつる植物Ｐｖの伸長を抑制できる。
【０１０４】
本発明は、建物の内部に設置することが好適な登攀材及び緑化装置を開示したが、本発明による登攀材及び緑化装置は、建物の外部に設置することもでき、緑化柵を窓と対向配置することで、直射日光から建物の内部を遮蔽できる。
【符号の説明】
【０１０５】
３１ｃ  登攀材（第１の登攀材）
５１ｃ  登攀材（第２の登攀材）
３ｒ  ＬＥＤ電球（照射手段）
５ｄ  発光ダイオード（照射手段）
Ｐｖ  つる植物
【図１】
2019103444.tif 000003
【図２】
2019103444.tif 000004
【図３】
2019103444.tif 000005
【図４】
2019103444.tif 000006
【図５】
2019103444.tif 000007
【図６】
2019103444.tif 000008
【図７】
2019103444.tif 000009
【図８】
2019103444.tif 000010
【図９】
2019103444.tif 000011
【図１０】
2019103444.tif 000012
【図１１】
2019103444.tif 000013